(57)【特許請求の範囲】
【請求項１】
対向する第１及び第２の側面を有する本体と、
前記本体の前記第１及び第２の側面の間に設けられた底面と、
前記本体から延在する肩紐と、
前記本体の開口部に重なるフタと、
前記フタの短辺と前記肩紐との間に位置する穴とを備え、
前記第１の側面の上側端部が前記フタの一の長辺に接続され、且つ前記第２の側面の上側端部が前記フタの前記一の長辺と対向する他の長辺に接続されている、運搬器具。
【請求項２】
底板を保持するための第１及び第２のポケットをさらに備え、
前記第１及び第２のポケットが、前記底面上に形成されており、
前記第１及び第２のポケットの開口縁は、互いに対向するように離れた位置に形成されている、請求項１に記載の運搬器具。
【請求項３】
前記フタの短辺は、少なくとも前記第１及び第２の側面の前記肩紐側の縁の長さの半分の長さを有する、請求項１又は２に記載の運搬器具。
【請求項４】
前記フタを前記肩紐に縫い付けないことにより、前記本体を裏返した際に前記肩紐を前記フタの外側に引き抜くことができる、請求項１から３のいずれか１項に記載の運搬器具。
【請求項５】
対向する第１及び第２の側面を有する本体と、
前記本体から延在する肩紐と、
底板を保持するための第１及び第２のポケットを備え、
前記第１及び第２のポケットが、前記第１及び第２の側面の間に設けられた底面上に形成されており、
前記第１及び第２のポケットの開口縁は、互いに対向するように離れた位置に形成されている、運搬器具。
【請求項６】
前記本体は、裏返し可能に構成された第１面及び第２面を有し、
前記第１及び第２のポケットは前記第１面に形成され、
前記第２面に、前記底板を保持するための第３及び第４のポケットが形成されている、請求項５に記載の運搬器具。
【発明の詳細な説明】
【技術分野】
【０００１】
本発明は運搬器具、特にペット運搬に用いるスリング状の運搬器具に関する。
【背景技術】
【０００２】
従来、シート環状体の一側を肩掛けとすると共に、収容ポケットの開口部を覆うように巾着口付メッシュカバーが取り付けられた小動物用スリングがあった（特許文献１)。
【先行技術文献】
【特許文献】
【０００３】
【特許文献１】登録実用新案第３１２９９０号公報
【発明の概要】
【発明が解決しようとする課題】
【０００４】
上記スリングは、側面と底面を構成する部分が使用時に連続した曲面を形成するため、底板を取り付け可能な底部分（底）が存在しない。そして、底板が取り付けられないと、ペットの排泄物処理具、いわゆるトイレシートを固定するのが難しい。そのため、ペット運搬中にトイレシートがずれたり折れたりしてしまい、ペットの排泄物又は嘔吐物によりスリング内が汚れてしまうことが考えられる。
【０００５】
また、スリングはリバーシブルにして楽しめる方が好ましい。しかし、カバーのようなフタが付いたスリングは、フタがバッグの開口全体に縫い付けてある。そのため、そのまま裏返すと肩紐部分がフタの内側に来てしまい、フタとして機能しなくなり、スリングとしては使えない。
【課題を解決するための手段】
【０００６】
上記課題を解決するため、本発明の運搬器具は、対向する第１及び第２の側面を有する本体と、前記本体から延在する肩紐と、底板を保持するための第１及び第２のポケットとを備え、前記第１及び第２のポケットが、前記第１及び第２の側面の間に設けられた底面上に形成されている。
【０００７】
また、本発明の運搬器具は、裏返し可能に構成された第１面と第２面とを有する本体と、前記本体から延在する肩紐と、前記本体の開口部を覆うフタと、前記フタと前記肩紐との間に形成された肩紐用の通し穴とを備える。
【０００８】
本発明のペット用の運搬器具によれば、底面が曲面を形成する場合であっても、底板を装着することができる。また、第１面と第２面とを裏返すことにより、リバーシブルにして楽しめるフタ付きの運搬器具を提供できる。なお、ペットとは、犬、猫、ウサギ等の小動物をいうが、本発明の運搬器具は人間の子供を運搬する際にも用いることができる。
【図面の簡単な説明】
【０００９】
【図１】運搬器具の概略外観図である。
【図２】運搬器具の外観を左側から見た場合の概略側面図である。
【図３】図３Ａは運搬器具を肩紐側から見た場合の概略内面図であり、図３Ｂは運搬器具の概略底面図であり、図３Ｃはフタを閉じた運搬器具の概略上面図である。
【図４】図４Ａは運搬器具の概略分解図であり、図４Ｂは運搬器具の底部分の概略断面図であり、図４Ｃはフタの寸法を示す概略図である。
【発明を実施するための形態】
【００１０】
本発明の運搬器具の本体１及び肩紐２は、使用時に表及び裏のいずれかを構成する第１面と第２面とを備える。図１は第１面が表である状態の運搬器具の外観図を示す。なお、実施例においては肩紐Ａ，Ａ’側を前側、肩紐Ｂ，Ｂ’側を後側とし、それに伴い側面Ｃ，Ｃ’側を左側、側面Ｄ，Ｄ’側を右側という。肩紐２は、本体１から延在する第１面側の前肩紐Ａ及び第２面側の前肩紐Ａ’と、第１面側の前肩紐Ｂ及び第２面側の前肩紐Ｂ’とを有し、両肩紐は、連結具である２つのスリングリングＪ（図２）により連結可能である。そして、本体１は、第１面側の左側面Ｃ及び第２面側の左側面Ｃ’と、使用時に左側面Ｃ及び左側面Ｃ’に対向する第１面側の右側面Ｄ及び第２面側の右側面Ｄ’  を有する。また、本体１は、使用時に底面の一部を構成する第１面側の前底面Ｅ及び第２面側の前底面Ｅ’（図４）、第１面側の中央底面Ｆ及び第２面側の中央底面Ｆ’、及び第１面側の後底面Ｇ及び第２面側の後底面Ｇ’を有する。
【００１１】
また、本体１には、左側面Ｃ，Ｃ’と右側面Ｄ，Ｄ’の図示上側の縁により画定される開口部１０が設けられ、開口部１０と肩紐Ａ，Ａ’  との間に位置する前通し穴１１と、開口部１０と肩紐Ｂ，Ｂ’  との間に位置する後通し穴１２（図３Ｃ）とが設けられている。そして、左側面Ｃ，Ｃ’と右側面Ｄ，Ｄ’の上側の縁（開口部１０）は、ペットの飛び出しを防止するフタであるメッシュＩと縫合されている。また、左側面Ｃ，Ｃ’と右側面Ｄ，Ｄ’の他方の縁は、前底面Ｅ，Ｅ’、中央底面Ｆ，Ｆ’及び後底面Ｇ，Ｇ’からなる底面（底部分）と縫合されている。また、メッシュＩは肩紐Ａ，Ａ’及び肩紐Ｂ，Ｂ’とは縫合されていないため、前通し穴１１と後通し穴１２とが形成される。これにより、本体１及び肩紐２を第１面から第２面へ又はその逆へ裏返す場合であっても、肩紐Ａ，Ａ’及び肩紐Ｂ，Ｂ’の連結を解除し、それぞれを前通し穴１１又は後通し穴１２に通して引き抜くことができる。そのため、開口部１０にフタが設けられたスリング状の運搬器具であっても、容易に裏返して使用できる。
【００１２】
後底面Ｇ，Ｇ’は、肩紐Ｂ，Ｂ’の端部と所定長さだけ重ねあわせた状態で、縫合線２１にて縫合されている。また、前底面Ｅ，Ｅ’も同様に、肩紐Ａ，Ａ’の端部と所定長さだけ重ねあわせた状態で、不図示の縫合線で縫合されている。そして、左側面Ｃ，Ｃ’と右側面Ｄ，Ｄ’とは、前底面Ｅ，Ｅ’、中央底面Ｆ，Ｆ’及び後底面Ｇ，Ｇ’を介して縫合されている。そのため、使用時において、左側面Ｃ，Ｃ’と右側面Ｄ，Ｄ’とが所定の間隔を維持して対向し、いわゆるマチが形成される。そのため、底板を後述するポケット３，４に挿入した状態で使用しても、底板がズレや変形を起し難い。
【００１３】
中央底面Ｆ，Ｆ’の一端部は、ポケット３が形成されるように、後底面Ｇ，Ｇ’の端部と所定長さだけ重ねあわせた状態で縫合線３１にて縫合されている。また、中央底面Ｆ，Ｆ’の他端部は、ポケット４（図３）が形成されるように、前底面Ｅ，Ｅ’の端部と所定長さだけ重ねあわせた状態で縫合線４１にて縫合されている。なお、図３Ａは使用時の本体１の内面（第２面）を肩紐２側（上側）から見た内面図であり、メッシュ１の図示は省略している。図３Ｂは使用時の本体１の底面（第１面）を下側から見た底面図である。図３Ａ，Ｂに示すようにポケット３，４は、第１面及び第２面の両面に形成され、使用時には互いに対向する。また、ペットシートが取り付けられた底板を挿入できるように、開口縁３０，４０が形成されている。図３Ｃは、メッシュＩが開口部１０を覆う様子を示す上面図であり、巾着状に構成されたメッシュＩの開口部分が締結部５にて結ばれている。
【００１４】
以下、図４Ａ，Ｂ及びＣを参照して、本発明の運搬器具の作成方法を説明する。なお、図４Ａにおいて、各面Ａ〜Ｈ及びＡ’からＨ’の内側と外側の線との間の間隔は縫い代を示している。まず、材料として、布（第１面用の布及び第２面用の布）、メッシュ、スリングリング（２個）、紐、ボタン、フェルト布、底板、ＰＰテープ（ポリプロピレンテープ）、ナスカン、プラスチック製の板を準備する。  なお、図４Ａでは、左側面Ｃ，Ｃ’及び右側面Ｄ，Ｄ’が略半円形状の外形を有するが、四角形でも可能である。  
【００１５】
（１）本体１の底面部分を作成する。まず、中央底面Ｆの両脇（短い方の辺）にロックミシン又はジグザグミシンをかける。次に、前底面Ｅ及び後底面Ｇそれぞれの脇（短い方の辺）のうち、縫い代の大きい方の脇にロックミシン又はジグザグミシンをかける。そして、前底面Ｅ及び後底面Ｇのロックミシンをかけた方の縫い代を外表に折り、端ミシンをかける。続いて、前底面Ｅ及び後底面Ｇの縫い代が大きい方の端部を、それぞれ中央底面Ｆに重ねて仮縫いをする。その後、中央底面Ｆの両脇（短い方の辺）の端から０．５ｃｍの所を縫い、中央底面Ｆと前底面Ｅ及び後底面Ｇとを縫い合わせる。また、第１面と同様に、第２面についても前底面Ｅ’、中央底面Ｆ’及び後底面Ｇ’で底部分を作成する。これにより、底部分は図４Ｂに示すように、前底面Ｅ，Ｅ’と中央底面Ｆ，Ｆ’とがポケット４を形成するように重ねあわされると共に、後底面Ｇ，Ｇ’と中央底面Ｆ，Ｆ’とがポケット３を形成するように重ねあわされ、その状態でそれぞれが縫合される。
【００１６】
（２）本体１の側面部分と底部分とを縫い合わせる。まず、左側面Ｃと底部分（前底面Ｅ、中央底面Ｆ及び後底面Ｇ）とを縫い合わせる。この時、左側面Ｃの両端部のうち先端が細い側（前側）に、前底面Ｅを位置させる。次に、右側面Ｄと底面部分を縫い合わせる。この時、右側面Ｄの前側に前底面Ｅを位置させる。そして、第１面と同様に、第２面についても左側面Ｃ'及び右側面Ｄ’と底部分を縫い合わせる。
【００１７】
（３）肩紐２を作るために、第１面の肩紐Ｂと第２面の肩紐Ｂ'を縫い合わせる。まず、肩紐Ｂと肩紐Ｂ'を中表にして縫い合わせる。この時、縫いあがった後に表へ返すため、返し口（縫い代の大きい方）は縫わない。次に、表へ返して、端から０．５ｃｍの所にミシンをかける。（４）第１面の肩紐Ａ及び第２面の肩紐Ａ’を縫い合わせる。まず、肩紐Ａと肩紐Ａ'を中表にして縫う。次に、縫い代を割り、ミシンで押さえる（縫合する）。縫い合わせた肩紐Ｂと肩紐Ｂ'も同様に処理する。そして、縫い合わせた肩紐Ａ，Ａ'と肩紐Ｂ，Ｂ'とを中表にして縫い合わせる。続いて、表へ返して、端から０．５ｃｍの所にミシンをかける（端ミシン）。その後、肩紐Ａ，Ａ'の本体１との境目になる部分にボタンホールを作る。
【００１８】
（５）メッシュＩでフタを作る。まず、２枚のメッシュＩを中表にして縫う。次に、縫い代を割り、ミシンで押さえる。そして、縁を縫い、紐を通す。なお、メッシュは透過性のない布でも可能であり、リバーシブルに作ることも可能である。ただし、ビニールなど、空気が通らない物はペットの呼吸が妨げられるので好ましくない。また、フタは巾着状ではなく、ファスナーを取り付けることも可能である。ここで、メッシュＩの寸法について図４Ｃを用いて説明する。メッシュＩの長辺方向の長さ６１は、少なくとも本体１の左及び右側面の上側（肩紐２側）の縁の長さ６０（図２）に、肩紐２の幅方向（短辺方向）の長さを加えた長さを有する。よって、メッシュＩは両端部に肩紐２の幅方向の半分の長さ６２の延在部を有している。つまり、メッシュＩの中央部分の長さ６３は、本体１の左及び右側面の上側縁の長さ６０と略等しい。また、メッシュＩの短辺方向の幅の長さ６４は、少なくとも左及び右側面の上側縁の長さ６０の半分の長さを有する。このような寸法で構成することにより、巾着状のフタを閉じたときに、左及び右側面の上側の縁がフタに引っ張られず、本体１の変形を生じさせない。なお、実際には、メッシュＩの各辺は縫い代等の長さがさらに加えられた長さを有する。
【００１９】
（６）本体１・フタ・肩紐２を縫い合わせる。まず、本体１とフタを縫い合わせるために、本体１の開口部１０を構成する左側面Ｃ及び右側面Ｄの縁と、フタ（縫い合わせた２枚のメッシュＩ）とを中表で縫い付ける。この時、肩紐２を取り付ける部分は縫わない。次に、本体１に縫い付けなかったフタの一部を縫い代部分で折り、ミシンで押さえる。そして、本体１の開口部１０となる側の左側面Ｃ，Ｃ’及び右側面Ｄ，Ｄ’の縫い代を折り、本体１の第１面の内側に第２面を入れる。続いて、本体１の第１面、フタ及び本体１の第２面を縫い合わせる。この時、肩紐２を取り付ける部分は縫わない。そして、本体と肩紐を縫い合わせるために、肩紐Ａ，Ａ'にスリングリングＪを２個通し半分に折り、それを本体１の前側端部に差し込み、縫い合わせる。その後、肩紐Ｂ，Ｂ'を本体１の後側端部に差し込み、縫い合わせる。
【００２０】
（７）ボタンを付ける。フタであるメッシュＩの一部にフェルト布などで補強をし、当該補強部分にボタンを付ける。（８）底板を作る。まず、プラスチック製の板から底板を切る。次に、第１面のカバー布Ｈと第２面のカバー布Ｈ'を中表にして縫い合わせ底板カバーを作る。続いて、底板カバーを表に返し、底板を入れ、入れ口を閉じて縫う。なお、底板は、適度の剛性と可撓性とを備えたボール紙又は合成樹脂等により形成でき、底板の剛性により本体の撓みを抑制することもできる。ポケットの開口縁及び底板カバーには、底板の脱落を防ぐために、面ファスナー等を取り付けることもできる。（９）飛び出し防止のベルトをつける。まず、ＰＰテープの両端をライターなどで軽く炙り処理する。次に、ナスカンが通る大きさに輪が出来るようにＰＰテープの一方の端を折り、縫う。続いて、ＰＰテープの他方の端にナスカンを取り付けてベルトを作る。そして、本体１にベルトを取り付ける。その後、肩紐Ａと肩紐Ａ’の間にベルトを通し、輪にナスカンを通す。
【００２１】
なお、上記実施例の肩紐部は、肩紐Ａ，Ａ’と肩紐Ｂ，Ｂ’の２つから構成されている。しかし、本発明の肩紐部は、肩紐Ｂ，Ｂ’のみから形成することもできる。この場合、肩紐Ｂ，Ｂ’の先端と、本体１の前側端部にそれぞれ係合部を設けて、両者を係合させるように構成すれば良い。例えば、肩紐Ｂ，Ｂ’の先端にバックルの雌具を設けると共に、本体１の前側端部に肩紐Ａ，Ａ’に代えてバックルの雄具を設ければ良い。
【００２２】
また、上記実施例のフタは開口部１０における対向する２つの縁に跨って縫合されている。しかし、２つの縁の一方のみフタを縫合し、他方の縁に対してはフタを取り外し可能に取り付けることもできる。この場合、フタの他方の縁にフックを設けると共に、開口部１０の対応する縁に当該フックと係合する係合部を設ければ良い。なお、チャック、面ファスナー又はボタン等を用いて、フタの他方の縁と開口部１０の対応する縁を取り外し可能に取り付けても良い。なお、この場合は、フタの中央部に形成される締結部は省略することができる。また、肩紐２を通すための通し穴は、開口部１０と兼用される。
【符号の説明】
【００２３】
Ａ：肩紐、Ｂ：肩紐、Ｃ：左側面、Ｄ：右側面、Ｅ：前底面、Ｆ：中央底面、Ｇ：後底面、Ｈ：カバー布、Ｉ：メッシュ、Ｊ：スリングリング
【図１】
0005788763.tif 000002
【図２】
0005788763.tif 000003
【図３Ａ】
0005788763.tif 000004
【図３Ｂ】
0005788763.tif 000005
【図３Ｃ】
0005788763.tif 000006
【図４Ａ】
0005788763.tif 000007
【図４Ｂ】
0005788763.tif 000008
【図４Ｃ】
0005788763.tif 000009